(57)【特許請求の範囲】
【請求項１】
外周面から離れて形成された空間部を内部に有し、かつ、身体を支持する側に設けられた配設面にエアーの給排気により膨縮する複数のエアーバッグが設けられた通気性のマット部材、及びこのマット部材の外周面を覆った通気性のカバーからなる身体支持体と、前記空間部に収納して前記マット部材に埋設され前記各エアーバッグにエアーの給排気をするエアー供給装置とを備え、前記マット部材及びカバーの通気性により前記空間部と外部とを連通して前記エアー供給装置が駆動した際の給排気を行わせることを特徴とするエアーマッサージ機。
【請求項２】
請求項１記載の発明において、前記マット部材が長方形状であって、前記複数のエアーバッグを前記マット部材の長手方向に並べて配設するとともに、これら並べて配設された複数のエアーバッグのうち前記マット部材の一端縁に最も近いものを脚用エアーバッグとし、この脚用エアーバッグとこれに近い前記マット部材の一端縁との間に前記エアー供給装置を埋設したことを特徴とするエアーマッサージ機。
【発明の詳細な説明】
【０００１】
【発明の属する技術分野】
この発明は、例えば、マットあるいは布団に配設された複数のエアーバッグにエアー供給装置からエアーを給排気して膨縮させて被施療部のマッサージをするエアーマッサージ機に関する。
【０００２】
【従来の技術】
従来のマットあるいは布団に配設された複数のエアーバッグにエアー供給装置からエアーを給排気して膨縮させて被施療部のマッサージをするエアーマッサージ機（以下マット式マッサージ機という）は、図５に示すマット部１０１と、エアー供給装置１２０とから構成されている。そして、前記マット部１０１の上面側つまり使用者がマッサージをする際に身体を横たえた際に身体を支持する側の面に、その長手方向に沿って配列して配設された複数のエアーバッグ１１１ないし１１８を配設し、また、前記マット部１０１の側面にはコネクター１０２を設け、このコネクター１０２と前記エアーバッグ１１１ないし１１８のそれぞれはエアーホース１１１ａないし１１８ａによって接続されている。
【０００３】
また、前記エアー供給装置１２０は、図示しないが内部に電磁式ポンプ等からなるエアー生成手段、このエアー生成手段で生成されたエアーを前記各エアーバッグ１１１ないし１１８に給排気するロータリー弁からなるエアー分配器、前記エアー生成手段とエアー分配器を制御する制御手段等が設けられている。また、前記エアー供給装置１２０の側壁には前記エアー分配器の各分配口に対応した複数の給排気口を有した接続口１２１が設けられている。
【０００４】
そして、前記接続口１２１と前記マット部１０１に設けられたコネクター１０２とは、各エアーバッグと接続口１２１の各給排気口とそれぞれに対応する複数のエアーホースからなる接続ホース１２５によって接続するようになっている。
【０００５】
そして、マッサージをしようとする使用者は、マット部１０１に身体を横たえて、エアー供給装置１２０に設けられた操作パネル１２２から所望のマッサージモードを設定すると、前記図示しない制御手段は前記エアー生成手段およびエアー分配器を制御して、前記設定されたマッサージモードによって定められた順序にしたがって前記各エアーバッグ１１１ないし１１８にエアーを給排気して膨縮させる。この膨縮によって被施療部は押圧・弛緩されてマッサージがなされるものである。
【０００６】
ところで、上記従来のマット式マッサージ機は、マット部１０１とエアー供給装置１２０とは分離して構成し、両者を接続ホース１２５によって接続する構成となっていることから、使用する際には広い配置スペースを必要とし、また、不使用時には広い収納スペースが必要となる。また、使用時には前記接続ホース１２５が床面に這わせてあることから、歩行の際に邪魔となり場合によっては引っ掛かる等の虞れがある。
【０００７】
また、エアー供給装置からのエアーは前記接続ホース１２５を介して供給されるものであることから、接続ホース１２５内の流路抵抗に抗してエアーを供給しなければならないことから、エアー生成手段の能力を大きくしなければならないことになり、その結果価格面では高価となるとともにエアー生成手段も大型となり小形化が図れないことになる。
【０００８】
【発明が解決しようとする課題】
上記のように、従来のマット式マッサージ機は、マット部１０１とエアー供給装置１２０とは分離した構成とし、両者を接続ホース１２５によって接続する構成となっていることから、使用の際に広い配置スペースを必要とし、また、不使用時は広い収納スペースが必要となるという問題があり、また、使用時に前記接続ホース１２５を床面に這わせてあることから、歩行等の際邪魔になる等の問題がある。また、エアーの供給は接続ホース１２５を介して供給されるものであるため、接続ホース１２５内の流路抵抗によって低下する供給能力を補う必要があることからエアー生成手段の能力を大きくしなければならず、その結果価格面では高価となるとともにエアー生成手段も大型となり小形化を図ることができないという問題がある。
【００１１】
【課題を解決するための手段】
この発明は上記事情に鑑みなされたものであり、請求項１記載の発明は、外周面から離れて形成された空間部を内部に有し、かつ、身体を支持する側に設けられた配設面にエアーの給排気により膨縮する複数のエアーバッグが設けられた通気性のマット部材、及びこのマット部材の外周面を覆った通気性のカバーからなる身体支持体と、前記空間部に収納して前記マット部材に埋設され前記各エアーバッグにエアーの給排気をするエアー供給装置とを備え、前記マット部材及びカバーの通気性により前記空間部と外部とを連通して前記エアー供給装置が駆動した際の給排気を行わせるエアーマッサージ機としたものである。
【００１２】
この請求項１記載の発明は、身体を支持する側に設けられた配設面にエアーの給排気により膨縮する複数のエアーバッグが設けられたマット部材の内部に埋設してエアー供給装置を配置したことから、使用時における広い設置スペースを、また、不使用時における広い収納スペースを必要とすることなく、また、エアー供給装置と身体支持体とを接続するための接続ホースが不要で接続ホースに起因する流路抵抗の増加をきたすことがないため、エアー生成手段の能力を小さくでき、小型かつ安価とすることができるという作用を有するものである。また、エアー供給装置をマット部材の内部に埋設したことから、エアー供給装置から生じる振動を身体支持体によって吸収しこの振動によって生じる身体支持体自体の振動に起因する騒音の発生を防止でき、また、エアー供給装置から発生する騒音の防音ができるという作用を有するものである。
【００１３】
また、請求項２記載の発明は、請求項１記載の発明において、前記マット部材が長方形状であって、前記複数のエアーバッグを前記マット部材の長手方向に並べて配設するとともに、これら並べて配設された複数のエアーバッグのうち前記マット部材の一端縁に最も近いものを脚用エアーバッグとし、この脚用エアーバッグとこれに近い前記マット部材の一端縁との間に前記エアー供給装置を埋設したエアーマッサージ機としたものである。
【００１４】
この請求項２記載の発明は、エアー供給装置を身体の足が位置する側に配置したことから、使用中に使用者が感じるエアー供給装置から発生する振動、騒音を少なくできるという作用を有するものである。
【００１５】
【発明の実施の形態】
つぎに、この発明の実施の形態を図１ないし図４に基づいて説明する。
【００１６】
図１において符号Ａはマッサージ機であり、このマッサージ機Ａは、身体支持体としてのマット部１、このマット部１内に埋設して配置されたエアー供給装置２０および前記マット部１の身体を支持する側に設けられた配設面２ａに配設された複数のエアーバッグ１１ないし１８等から構成されている。
【００１７】
そして、前記マット部１は、例えば通気性を有する発泡ウレタンフォーム等から構成され、上面からの投影が長方形状でかつ肉厚に形成されたマット部材２とこのマット部材２の外周面を覆った布等からなるカバー３とから構成されている。前記マット部材２の肉厚寸法は、後に詳述する前記エアー供給装置２０の下面および上面を図２および図３に示すように所定の厚さの肉厚で覆うことができる寸法に設定されているものである。
【００１８】
そして、前記マット部材２の身体を支持する側つまり上側には、図１に示すように長方形状の凹部２ｂが形成されており、この凹部２ｂの底壁２ａは配設面となっており、この底壁２ａには図１に示すように首部をマッサージする首用エアーバッグ１１、肩部をマッサージする肩用エアーバッグ１２、背中部をマッサージする背中用エアーバッグ１３および１４、腰部をマッサージする腰用エアーバッグ１５、尻部をマッサージする尻用エアーバッグ１６、腿部をマッサージする腿用エアーバッグ１７および脚部（ふくらはぎ部）をマッサージする脚用エアーバッグ１８が長手方向に沿って配設されている。
【００１９】
また、前記マット部１の前記脚用エアーバッグ１８が配置されている側の端縁部の角部つまり使用者がマット部１の上面部に身体を横たえた際に足が位置する側の角部には図１ないし図３に示すように、エアー供給装置２０がマット部材２に埋設して配置されている。なお、このエアー供給装置２０の上面は前記凹部２ｂの底壁２ａを含む平面よりも下側に位置するようにして配置されている。つまりエアー供給装置２０は前記配設面である底壁２ａよりも下側に設けられているものである。
【００２０】
そして、エアー供給装置２０がマット部材２内に埋設された状態では、図２および図３に示すようにエアー供給装置２０の上面は所定の肉厚のマット部材２で覆われている。なお、前記所定の肉厚とは、使用者等がエアー供給装置２０の上部に乗った時にマット部材２の緩衝作用によって足の裏等の痛み等を感じることがない程度の肉厚をいうものである。
【００２１】
また、エアー供給装置２０がマット部材２内に埋設された状態では、図２および図３に示すように前記エアー供給装置２０の下面は、エアー供給装置２０の動作時にエアー供給装置２０から発生する振動を吸収して床面等に伝達されないように所定の肉厚のマット部材２で覆われるようになっている。
【００２２】
また、前記エアー供給装置２０のマット部１のマット部材２内への埋設は、図示してはいないが前記角部の一部を肉厚方向中間部を前記上面部と平行の面で上下に分割するとともに内部をくりぬいてエアー供給装置２０を収納できる空間部Ｓ（図２、図３参照）を形成しておき、この空間部Ｓに収納し前記分割面を接合した後マット部材２を通気性のあるカバー３で覆うようにするものである。
【００２３】
なお、前記マット部材２は除塵フィルターとしても機能することから、エアー供給装置２０の塵埃に起因する動作不良の発生を防止できるものである。
【００２４】
また、前記エアー供給装置２０は、マット部材２の空間部Ｓに収納する際には、図示しないねじによって支持板２３に取り付けるとともに通気性のあるポンプカバー２４で覆った状態として収納するようになっている。また、前記ポンプカバー２４は支持板２３にねじ２５によって取り付けられるものである。
【００２５】
そして、上記のようにエアー供給装置２０はマット部材２に形成した空間部Ｓに収納して配置されているとともに、カバー３、マット部材２、ポンプカバー２４はそれぞれ通気性を有するものであることから、エアー供給装置２０が駆動した際における給排気には支障がないものである。なお、給排気量の大きいエアー供給装置を使用する場合はマット部材２の側面に前記空間部Ｓと外部を連通させる径小な複数の貫通孔を設けるようにすればよく、この場合はエアー供給装置２０からの騒音が外部に漏れないような直径の貫通孔とすることが望ましい。
【００２６】
また、前記マット部１の側面には、図２に示すように雌プラグ４が設けられており、この雌プラグ４の一対の端子４ａ（図２では一方のみ図示）にはリード線４ｂの一端が接続されこのリード線４ｂの他端は前記エアー供給装置２０の駆動部つまりエアーコンプレッサーに接続されている。
【００２７】
また、前記マット部１の首用エアーバッグ１１が配設されている側の角部には、図１に示すように方形状の収納凹部６が形成されており、この収納凹部６には操作部であるリモートコントロール装置（以下リモコン装置という）７が取り出し可能にして収納されている。このリモコン装置７には図示しないコードが接続されており、上記のように前記収納凹部６から取り出しても使用つまり各種マッサージモードを設定することも、また、収納した状態のままでも使用できるものである。したがって、リモコン装置７を取り出して使用する場合は、使用者はマット部１に身体を横たえた状態で所望のマッサージモードを設定できるものである。勿論収納凹部６は首部側に設けてあることから、収納凹部６に収納したままでも操作できるものであり、同一マッサージモードのまま使用する場合等は予め設定すれば、設定し直すことを要しないことからこのような場合は収納凹部６に収納したまま使用することの方が便利である。
【００２８】
また前記収納凹部６は、一端側を回動可能なヒンジによって取り付けた蓋６ａによって開閉されるようになっている。
【００２９】
なお、前記リモコン装置７は、図示しない信号線を介して図４に示すように後述する制御手段３３に信号を送るようになっている。
【００３０】
つぎに、前記エアー供給装置２０について説明する。
【００３１】
このエアー供給装置２０は、図４に示すように電磁式ポンプ等からなるエアー生成手段３０、このエアー生成手段３０にホース３１を介して接続されたロータリー弁等からなるエアー分配器３２、エアー生成手段３０およびエアー分配器３２を制御するマイクロコンピュータからなる制御手段３３等から構成されている。
【００３２】
そして、前記エアー分配器３２は図示しないが８個の供給口と１個の排気口が設けられており、前記８個の供給口のそれぞれにはエアーホース１１ａないし１８ａの一端側が接続されており、このエアーホース１１ａないし１８ａの他端側はそれぞれ前記首用エアーバッグ１１ないし脚用エアーバッグ１８にそれぞれ接続されている。
【００３３】
そして、前記リモコン装置７から所定のマッサージモードが設定されると、制御手段３３は、前記設定されたマッサージモードによって定められた順序にしたがって、前記首用エアーバッグ１１ないし脚用エアーバッグ１８にエアーの給排気をするように、エアー生成手段３０およびエアー分配器３２を制御するものである。
【００３４】
なお、前記マッサージモードとは、首用エアーバッグ１１ないし脚用エアーバッグ１８を所定の順序で膨縮させて全身をマッサージする全身マッサージモード、首用エアーバッグ１１ないし腰エアーバッグ１５を順次膨縮させる上半身マッサージモード、尻用エアーバッグ１６ないし脚用エアーバッグ１８を順次膨縮させる下半身マッサージモード、首用エアーバッグ１１ないし脚用エアーバッグ１８をそれぞれ単独で膨縮させる部分マッサージモードである。
【００３５】
つぎに、上記マッサージ機Ａの動作について説明する。
【００３６】
まず、使用者は、マッサージをしようとするときは、マット部１の上面に身体を横たえた後、前記リモコン装置７から所望のマッサージモードを設定し、図示しないスタートスイッチを操作すると、制御手段３３は前記設定されたマッサージモードによって定められた順序にしたがって、エアー生成装置３０およびエアー分配器３２を制御し前記首用エアーバッグ１１ないし脚用エアーバッグ１８に順次エアーを給排気する。この給排気に伴って前記各エアーバッグが膨縮し被施療部はマッサージされるものである。
【００３７】
そして、マッサージ動作中つまり使用時においては、前記エアー供給装置２０は首用エアーバッグ１１ないし脚用エアーバッグ１８が配設されたマット部材２の凹部２ｂの底面２ａつまり配設面よりも下側に位置して配置されていることから広い配置スペースを必要としないものであり、また、使用後つまり不使用時においても広い収納スペースを必要とすることがないものである。また、従来のもののように接続ホースを用いる必要がないことから、接続ホースに起因する流路抵抗の増加をきたすことがないためエアー生成手段の能力を小さくでき小型かつ安価とするができるものである。
【００３８】
また、エアー供給装置２０はマット部１の肉厚のマット部材２の内部に埋設したことから、エアー供給装置２０から生じる振動を吸収しマット部１自体の振動に起因する騒音を防止でき、また、エアー供給装置２０から発生する音の防音ができるものである。
【００３９】
また、エアー供給装置２０は身体の足が位置する側に配置したことから、使用中に使用者が感じるエアー供給装置２０から発生する振動、騒音を少なくでき、使用者は騒音等に悩まされることなくマッサージができるものである。
【００４６】
【発明の効果】
請求項１記載の発明は、身体を支持する側に設けられた配設面にエアーの給排気により膨縮する複数のエアーバッグが設けられたマット部材の内部に埋設してエアー供給装置を配置したことから、使用時における広い設置スペースを、また、不使用時における広い収納スペースを必要とすることなく、また、エアー供給装置と身体支持体とを接続するための接続ホースが不要で接続ホースに起因する流路抵抗の増加をきたすことがないため、エアー生成手段の能力を小さくでき小型かつ安価とすることができるという効果を有するものである。また、エアー供給装置をマット部材の内部に埋設したことから、エアー供給装置から生じる振動を身体支持体によって吸収しこの振動によって生じる身体支持体自体の振動に起因する騒音の発生を防止でき、また、エアー供給装置から発生する騒音の防音ができるという効果を有するものである。
【００４７】
請求項２記載の発明は、請求項１記載の発明において、エアー供給装置を身体の足が位置する側に配置したことから、使用中に使用者が受けるエアー供給装置から発生する振動、騒音を少なくできるという効果を有するものである。
【図面の簡単な説明】
【図１】本発明の実施の形態のエアーマッサージ機の斜視図。
【図２】上記実施の形態のエアーマッサージ機の身体支持体内にエアー供給装置が配置された状態を示す断面図（図１のＸ−Ｘ線での断面図）
【図３】上記実施の形態のエアーマッサージ機の身体支持体内にエアー供給装置が配置された状態を示す断面図（図１のＹ−Ｙ線での断面図）
【図４】上記実施の形態のエアーマッサージ機の制御ブロック図。
【図５】従来のエアーマッサージ機の斜視図。
【符号の説明】
Ａ            マッサージ機（エアーマッサージ機）
１            マット部（身体支持体）
２            マット部材
２ａ          マット部材に設けた凹部の底壁（配設面）
３            カバー
１１〜１７    エアーバッグ
１８          脚用エアーバッグ
２０          エアー供給装置
Ｓ            空間部
【図１】
0003614651.tif 000002
【図２】
0003614651.tif 000003
【図３】
0003614651.tif 000004
【図４】
0003614651.tif 000005
【図５】
0003614651.tif 000006